(57)【要約】【課題】  複数のブロック状のガイド本体を連結したケーブルガイドであって、上端に天板下への取付用ブラケットを備え、下端にベースブロックを備えたケーブルガイドの問題点を解決することをその課題とする。【解決手段】  上端に天板下面や配線ダクトなどへの取付用ブラケット９を、下端にベースブロック10を夫々に備えると共に、前記取付用ブラケット９とベースブロック10の間が当該ブラケット９とベースブロック10に連結され、かつ、連結数の増減が自在のブロック状をなすガイド本体Ｇの連結体で形成されたケーブルガイドにおいて、前記取付用ブラケット９を、その上端に断面略７状の掛止部9aを設けて形成したこと。【選択図】図１
2009112171.tif 000002
【特許請求の範囲】
【請求項１】
上端に天板下面や配線ダクトなどへの取付用ブラケットを、下端にベースブロックを夫々に備えると共に、前記取付用ブラケットとベースブロックの間が当該ブラケットとベースブロックに連結され、かつ、連結数の増減が自在のブロック状をなすガイド部材の連結体で形成されたケーブルガイドにおいて、前記取付用ブラケットを、その上端に断面略７状の掛止部を設けて形成したことを特徴とするケーブルガイド。
【請求項２】
ブロック状のガイド部材同士は連結駒部材を介して連結すると共に、最上位の連結駒部材を、当該駒部材の上半部に代えて連結駒部材と一体の取付用ブラケットに形成した請求項１のケーブルガイド。
【請求項３】
ベースブロックにはその外周から中心近くまで凹陥状に深く入り込んだケーブル挿通用のガイド溝を設けた請求項１又は２のケーブルガイド。
【請求項４】
ベースブロックは、金属材又はプラスチック材などの高比重材料を成型して必要な重量を確保すると共に、外周から中心に向けて中心近くまで凹陥状に深く入り込んだケーブル挿通用のガイド溝を１箇所又は２箇所以上設けた請求項１〜３いずれかのケーブルガイド。
【発明の詳細な説明】
【技術分野】
【０００１】
本発明は、例えば床面から立上げてデスクの天板上に導入される通信ケーブルや電力ケーブル等の配線を、複数のケーブルをまとめたり体裁や見映えの点からカバーすると共に、当該ケーブル等が捩れたりカールして接続不良を起したり、邪魔になったりしないようにガイドするケーブルガイドに関する。
【背景技術】
【０００２】
従来よりオフィスなどにおいて床などから立上った各種ケーブルをテーブルやデスクの天板上に導入するため、フレキシブルなダクト状乃至はパイプ状をなすケーブルガイドが使用されている。
【０００３】
従来のケーブルガイドは、フレキシブル故に、任意の姿勢でケーブルを保持できる利点があるものの、問題もある。即ち、従来のケーブルガイドの一つは、通常プラスチック材により長尺に成形されているため、使用する場所で必要な長さに切断して内部にケーブルを入れて使用する形態であるが、一旦切断してしまうと、切断した長さよりも長いガイドを要する場所やケーブルに対しては、体裁良く利用できないという点がある。
【０００４】
一方、内部にケーブル挿通空間を形成したブロック状のガイド部材を増減自在に連結するようにしたケーブルガイドが特許文献１などにより提案されている。しかし、ガイド部材の連結構造が１本のワイヤ等のガイド索により複数ブロックを連結するタイプのものでは、ケーブルガイドの長さがワイヤ等のガイド索の長さに支配されてしまうため、使用場所でガイド部材をブロック単位で任意の長さ調節ができないという問題がある。
【０００５】
本発明の出願人らは上記のケーブルガイドにおける使用面での問題点を解消すると共に、従来のケーブルガイドには見られない新規な使用態様を採ることが可能なケーブルガイドを提供することを目的として、特許文献２のケーブルガイドを提案している。
【０００６】
特許文献２により提案したケーブルガイドの概要は、内部にケーブル挿通空間が形成されたブロック状をなすケーブルガイド本体の２個以上を、両端に前記ガイド本体との結合部を形成した連結駒部材を介して接合，離脱自在に連結し、各ガイド本体の直列状に並んだ空間にケーブルを挿通するようにしてケーブルガイドを主な構成としている。
【０００７】
先に提案したケーブルガイドでは、ガイド本体をガイド本体とは別部材の連結駒部材を介して連結するようにしたので、連結したケーブルガイド全体の弯曲フレキシビリティが高くなる利点があったが、ケーブルガイドの上端部と下端部の構成に解決すべき問題点のあることが判明した。
【０００８】
即ち、上記ケーブルガイドでは、上端のガイド本体を連結駒部材を介して取付用ブラケットに連結していた。しかし、この取付用ブラケットは、釘やネジなどにより天板の下面などに固定する方式であったため、取付用ブラケットの位置変更を手軽かつ自由に行い難いという問題がその一つである。
【０００９】
また、上記ケーブルガイドでは、下端のガイド本体が連結駒部材を介してベースブロックに連結されている。このベースブロックは、床から立上るケーブルを体裁良くガイド本体の下端のものに導入する役割と、配置されたケーブルガイドを安定に床上の定位置に保持する役割が付与されたものである。
しかし乍ら、使用されるケーブルの外径が社内LANの普及などによって徐々に太くなって来たことなどにより、ケーブルが曲げにくくなり、曲げてもその半径が大きくなりがちになるため、ベースブロックが硬めで曲げ半径の大きなケーブルに持上げられ、ベースブロックの一側が床から浮いた状態になることがあって、見映えの点で好ましくないのみならず、半分浮いたベースブロックが転動するとケーブルガイドを定位置に保持できない場合も生じるといった問題があった。
【特許文献１】特開平９−１９９８７３号公報
【特許文献２】特開平１０−２４２６６５号公報
【特許文献３】特許第３３３０３３１号公報
【発明の開示】
【発明が解決しようとする課題】
【００１０】
本発明は、上記のような複数のブロック状のガイド本体を連結したケーブルガイドであって、上端に天板下への取付用ブラケットを備え、下端にベースブロックを備えたケーブルガイドの問題点を解決することをその課題とする。
【課題を解決するための手段】
【００１１】
上記課題を解決することを目的としてなされた本発明ケーブルガイドの構成は、上端に天板下面や配線ダクトなどへの取付用ブラケットを、下端にベースブロックを夫々に備えると共に、前記取付用ブラケットとベースブロックの間が当該ブラケットとベースブロックに連結され、かつ、連結数の増減が自在のブロック状をなすガイド本体の連結体で形成されたケーブルガイドにおいて、前記取付用ブラケットを、その上端に断面略７状の掛止部を設けて形成したことを特徴とするものである。
【００１２】
本発明ケーブルガイドでは、ブロック状のガイド本体同士を連結駒部材を介して連結すると共に、最上位の連結駒部材を、当該駒部材の上半部に代えて連結駒部材と一体の取付用ブラケットに形成することができる。
【００１３】
また、本発明ケーブルガイドにおいて、ベースブロックにはその外周から中心近くまで凹陥状に深く入り込んだケーブル挿通用のガイド溝を設けた構成とすることができる。また、ベースブロックは、金属材又はプラスチック材を成形して必要な重量を確保すると共に、外周から中心に向けて中心近くまで凹陥状に深く入り込んだケーブル挿通ガイド部を１箇所又は２箇所以上設けることが望ましい。
【発明の効果】
【００１４】
本発明では、上端に天板下面や配線ダクトなどへの取付用ブラケットを、下端にベースブロックを夫々に備えると共に、前記取付用ブラケットとベースブロックの間が当該ブラケットとベースブロックに連結され、かつ、連結数の増減が自在のブロック状をなすガイド本体の連結体で形成されたケーブルガイドにおいて、取付用ブラケットは上端に断面略７状の掛止部を設けて形成すると共に、ベースブロックにはその外周から中心近くまで凹陥状に深く入り込んだケーブル挿通用のガイド溝を設けた構成としたこにより、ケーブルガイドを天板の下面側に設けられたケーブダクトの縁などの任意の位置に取付用ブラケットを引掛けて配置することができるから、当該ブラケットの位置変更を自由に行うことができる。
また、ベースブロックには、中心に向って凹陥状に深く入り込んだケーブル挿通用のガイド溝が形成されているので、ケーブルの外径が太かったり、被覆が硬質なため曲りにくいケーブルを床から立上げて挿通させても、このベースブロックの深いガイド溝がケーブルの少ない曲りを吸収する。従って、従来品のようにベースブロックがケーブルの曲りによって持上げられる（床から浮く）ことはない。
【発明を実施するための最良の形態】
【００１５】
次に本発明ケーブルガイドの実施の形態例について、図を参照して説明する。図１は本発明ケーブルガイドの一例の正面図、図２は図１の右側面図、図３は図１のケーブルガイドにおける中間を省略した要部の正断面図、図４は図３における右側断面図、図５は図３のガイド部材の平面図、図６は連結駒部材の正面図、図７は図６の部材の右側面図、図８は取付用ブラケットを配線ダクトに係止した状態の要部の正面図、図９は取付用ブラケットを天板下面の穴（又は配線ダクトの穴）に係止した状態の要部の正面図である。
【００１６】
本発明ケーブルガイドにおけるブロック状のガイド部材は殻状部材を合着する形態であるので図１〜図７を参照して説明する。
図１〜図５において、１は正面から視て四隅を丸めて略四角形状をなす形態に形成した殻状をなすガイド部材で、正面から見た左右に弯曲した可撓性の抱持片1a，1bが形成されている。ガイド部材１の内面の略中央部には縦向きの平行な立壁２，３が形成され、かつ、両立壁２，３の前縁には、このガイド部材１同士を合着するため係合爪片2a，3aと、各係合爪片2a，3aの下方に当該爪片2a，3aと係合する係合凹部（図に表われず）とが形成されている（図４参照）。また、平行な立壁２，３の上，下端部には両壁２，３の隙間を塞ぐ形態で、後述する連結駒部材８を保持するための切欠を備えた係止壁４と５が設けられている。６，７はガイド部材１の側壁に形成した透孔で、ガイド部材１をテーブル天板の裏面や間仕切パネル、或は、壁などに保持させる場合におけるフック等への引掛け穴やビス止め穴として利用する。
【００１７】
上記構成のガイド部材１は、その２個を一方の天地を他方のそれとは逆向きにして凹面側を向い合せ、２つのガイド部材１，１における一方の係合爪片2a，3aと他方の係合凹部とを、雄雌係合関係により係合合着させて合体することにより、図２，図４に示すように２つのガイド部材１，１が一体化されて内部にケーブル挿通路S1，S2となる空間を有するガイド本体Ｇに形成される。
【００１８】
合体したガイド部材１，１の対向する抱持片1a，1bの間には、ここを少し広げてケーブルを前記挿通路S1，S2に通す隙間ｇが形成される。本発明ケーブルガイドは、この合体されたガイド部材１，１を、一単位とするガイド本体Ｇとして、立壁２，３の延長方向に任意の個数のガイド本体Ｇを後述する連結駒部材８を介して連結することにより、所望の長さのケーブルガイドに形成して機能させるものである。
【００１９】
２個のガイド部材１，１を合体したガイド本体Ｇは、図６，図７に例示した連結駒部材８により連結する。連結駒部材８は短か目の棒状本体8aの上下に、結合用凸部となる横向の結合突子8b，8cを一体に設けて形成されており、係合突子8b，8cが合体したガイド部材１，１における立壁２，３と係止壁４，５に挟持されることにより、ガイド本体Ｇを、ここでは上，下方向で連結する（図１，図２参照）。
【００２０】
前記駒部材８において、結合突子8b，8cと本体8aの境界部に形成されたテーパ状のショルダー部8dは、係止壁４，５の切欠4a，5aが形成する穴の中心に棒状本体8aを位置付ける作用をする。
【００２１】
図１，図２に例示するように連結されたガイド本体Ｇは、立壁２，３と抱持片1a，1bに囲まれた左，右２つの空間がケーブルの挿通路S1，S2として機能する（図３参照）。ケーブル挿通路S1，S2は、立壁２，３により左，右で分離区画されているので、一方の挿通路S1を例えば信号ケーブル用、他方の挿通路S2を例えば電源ケーブル用に使い分けすれば、信号ケーブルが電源ケーブルの電磁波などの影響を受け難くできる。
【００２２】
本発明ケーブルガイドは、図３，図４に例示するように、その上端をデスク天板の下などに形成された配線ダクトCD（ケーブルダクトCDともいう）の縁に引掛けるための取付用ブラケット９が設けられる一方、下端にケーブルの立上り部分を安定にガイドするためのベースブロック10が連結されている。
【００２３】
すなわち、取付用ブラケット９は、連結駒部材８における上位の結合突子8bに代えて、当該駒部材８の本体8aの上部に、上端が側面から見て大略７状をなし、先端に逆く状の抜止め部91aを備えた掛止部9aと該掛止部9aの下方で同じ側に形成された持上がり防止突子9bを備えてこの駒部材８の上半部に一体成形されたものである。
【００２４】
本発明では、取付用ブラケット９を、上記のように形成したことにより、図８に例示したケーブルダクトCDの底壁の溝の縁cd1に掛止部9aを引掛けたり、図９のダクトCDなどの底壁に設けた通線穴CHの縁cd2に掛止部9aを引掛けると共に、穴chに抜止め部91aを入れて取付けることができる。また、取付位置の変更も、掛止部9aの引掛けを外して他の位置（溝や穴の縁cd1，cd2）に自由に移動させることができる。特に、抜止め部91aや持上り防止突子9bを設けたので、本発明ケーブルガイドに外力（ケーブルガイドに足が触れたり、ケーブルガイドを動かすときなど）が働き、このブラケット９に下方から上向きの力が作用しても、当該抜止め部91aや突子9bがあるためダクトCDの溝cd1からブラケット９の掛止部9aが持上げられて外れることはない。
【００２５】
一方、ベースブロック10は、比重の大きな金属，プラスチック，ゴム等、或は、これらの複合体により、全体が浅いドーム状乃至コーン状をなすように形成し、このブロック10の中央部に、ボス状に突出させた連結駒部材８の下部の結合突子8cを掛止するための係止穴10bが設けられた突柱部10aを設けた。
【００２６】
このベースブロック10には、その外周上の少なくとも１箇所又は２箇所にケーブル挿通用の深い切欠10cが設けられている。すなわち、深い切欠10cは、ベースブロック10の下端部外周から突柱部10aの根元まで深く形成することにより、曲りにくいケーブルであってもこのベースブロック10がそのケーブルに持上げられないように当該切欠10cが深く形成され、また、安定に静置できるように比重の大きな材料で成形して小形でも重量が大きくなるようにしているのである。
【００２７】
なお、本発明ケーブルガイドにおいては、各ガイド部材１の側壁に、穴６，７が設けられているので、１個又は複数のガイド本体Ｇを、個々に独立して、或は、所要個数を連結し、前記穴６，７を利用し天板の裏面や間仕切パネル、或は、壁面など、所要の部位にフック等への引掛けやビス止めなどにより取付け、水平方向や垂直方向に配線するケーブルの支持ブラケットとして利用したり、１個又は複数個のガイド本体Ｇを床の上面にビス止めなどにより固定することによって、床面上に敷設するケーブルの押えガイドとしても利用することもできる。
【００２８】
上述した本発明ケーブルガイドは、ガイド本体Ｇの側面には、合体する２個のガイド部材１，１の対向した可撓性の抱持片1a，1bによるケーブル挿通用の隙間ｇがあり、また、ベースブロック10の周上にもケーブル挿通用の深い切欠10cがあるので、既に床から立上げられてテーブル天板上の電子機器等に既に結線されている配線済みのケーブルであっても、後から前記ケーブルの中間部分を、ガイド本体Ｇの側面の隙間ｇを広げてそこから挿入できる。また、この場合でも床側のケーブルはベースブロック10の深い切欠10cの作用で当該ブロック10の中心近く（突柱部10aの根元近く）に位置付けることができる。これにより結線された後のケーブルであっても、本発明ケーブルガイドを容易かつ見映えよく適用することができる。
【００２９】
上記の本発明ケーブルガイドは、必ずしも２個のガイド部材を分離可能な合体構造にする必要はなく、２つのガイド部材を予め一体のブロック状に形成したり、或は、２個のガイド部材を分離不能に合体してブロック状に形成した形態のものであってもよい。このように一体に形成されたブロック状のガイド本体の連結では、図示しないが一例として、連結駒部材８を容易に変形可能な柔軟性材料で形成しておき、これをブロック状ガイド本体に形成されている係止構造部に強制的に変形させつつ挿入したり、或は、連結駒部材自体を分離可能な合体構造に形成しておき、分離した駒部材の分離片をそれぞれブロック状ガイド本体の係止構造部に通してから、当該分離片を合体してガイド本体を連結するような態様とすることもできる。
【産業上の利用可能性】
【００３０】
本発明は以上の通りであって、上端に天板下面や配線ダクトなどへの取付用ブラケットを、下端にベースブロックを夫々に備えると共に、前記取付用ブラケットとベースブロックの間が当該ブラケットとベースブロックに連結され、かつ、連結数の増減が自在のブロック状をなすガイド本体の連結体で形成されたケーブルガイドにおいて、前記取付用ブラケットを、その上端に断面略７状の掛止部を設けた構成としたので、ケーブルガイドを天板の下面側に設けられたケーブダクトの縁などの任意の位置に取付用ブラケットを引掛けて配置することができ、従って、当該ブラケットの取付け位置を自由に変更することができる。
【００３１】
また、ベースブロックには、凹陥状に中心部まで深く入り込んだケーブル挿通ガイドが形成されているので、ケーブルの外径が太かったり、被覆が硬質のケーブルで曲りにくいケーブルを床から立上げて挿通させても、このベースブロックの挿通ガイドがケーブルの少ない曲りを吸収する。従って、従来品のようにベースブロックがケーブルの曲りによって持上げられる（床から浮く）ことはない。
【図面の簡単な説明】
【００３２】
【図１】本発明ケーブルガイドの長さ方向の一部を省略した一例の正面図。
【図２】図１のケーブルガイドの右側面図。
【図３】図１のケーブルガイドの中間を省略した拡大正断面図。
【図４】図３のケーブルガイドの側断面図。
【図５】図３のガイド部材の平面図。
【図６】連結駒部材の正面図。
【図７】図６の連結駒部材の右側面図。
【図８】取付用ブラケットを配線ダクトに係止した状態の要部の正面図。
【図９】取付用ブラケットを天板下面の穴（又は配線ダクトの穴）に係止した状態の要部の正面図。
【符号の説明】
【００３３】
１        ガイド部材
1a，1b    抱持片
２，３    立壁
2a，3a    係合爪片
４，５    係止壁
６，７    透孔
6a        棒状本体
6b，6c    係合突子
８        連結駒部材
8b        上部結合突子
8c        下部結合突子
９        取付用ブラケット
9a        掛止部
9b        持上り防止突子
10        ベースブロック
10a       突柱部
10b       係止穴
10c       切欠
Ｇ        ガイド本体
S1，S2    ケーブル挿通路
【図１】
2009112171.tif 000003
【図２】
2009112171.tif 000004
【図３】
2009112171.tif 000005
【図４】
2009112171.tif 000006
【図５】
2009112171.tif 000007
【図６】
2009112171.tif 000008
【図７】
2009112171.tif 000009
【図８】
2009112171.tif 000010
【図９】
2009112171.tif 000011